(57)【特許請求の範囲】
【請求項１】
光源ユニットの取り付け先であるソケットに前記光源ユニットを固定する光源ユニット用アタッチメントであって、
前記ソケットに着脱自在に取り付けられるソケット側取り付けベース部と、
該ソケット側取り付けベース部に着脱自在に取り付けられるソケット側取り付け本体部と、
該ソケット側取り付け本体部に着脱自在に固定され且つ前記光源ユニットを保持する光源ユニット保持部とを備え、
前記光源ユニット保持部が、前記光源ユニットを保持する光源ユニット保持用本体部分と、前記ソケットに設けられたピン固定用溝部に嵌挿される固定用ピン部分と、前記ソケット側取り付け本体部に形成されたロック孔に嵌入されるロック用突起を形成したロック用舌片部分とを有していることを特徴とする光源ユニット用アタッチメント。
【請求項２】
前記ソケット側取り付けベース部が、前記ソケットの両側面に形成された一対の側面側溝部に嵌装される一対の側面側羽根部分と、前記ソケットの背面に形成され且つ前記一対の側面側溝部を相互に繋ぐ背面側溝部に嵌合する背面側羽根部分とを有していることを特徴とする請求項１に記載の光源ユニット用アタッチメント。
【請求項３】
前記ソケット側取り付けベース部が、前記一対の側面側羽根部分に交差する一対の側面側ガイド部分と、前記背面側羽根部分から前記一対の側面側ガイド部分の間に延びている背面側舌片部分とを有し、
前記ソケット側取り付け本体部が、前記ソケット側取り付けベース部に対する前記ソケット側取り付け本体部の装着時に前記一対の側面側ガイド部分にそれぞれガイドされる一対の凹状部分を有し、
該凹状部分の折り返し端が、前記ソケット側取り付けベース部に対する前記ソケット側取り付け本体部の装着時に前記背面側舌片部分に当接することを特徴とする請求項２に記載の光源ユニット用アタッチメント。
【請求項４】
前記光源ユニット保持用本体部分が、前記光源ユニットを前記光源ユニット保持部に固定する固定手段を有していることを特徴とする請求項１乃至請求項３のいずれか一つに記載の光源ユニット用アタッチメント。
【発明の詳細な説明】
【技術分野】
【０００１】
本発明は、光源ユニットをソケットに固定する光源ユニット用アタッチメントに関するものである。
【背景技術】
【０００２】
従来、放電灯の口金に対する荷重を抑制して振動耐性を向上させる車両用灯具（例えば、特許文献１参照。）やランプの保持性能を向上させる照明器具（例えば、特許文献２参照。）がある。
【先行技術文献】
【特許文献】
【０００３】
【特許文献１】特開２０１０−９９２５号公報（特許請求の範囲、図１参照。）
【特許文献２】特開平１０−２６９８２９号公報（特許請求の範囲、図１参照。）
【発明の概要】
【発明が解決しようとする課題】
【０００４】
しかしながら、蛍光灯等の光源を口金ソケットに取り付ける際、光源の口金から突出したピン端子でのみ光源の重量を保持するため、口金ソケットの経時劣化に伴って光源の重量に応じて口金ソケットに作用する荷重を保持しきれない状況を発生させて光源を口金ソケットから脱落させてしまうという問題点があった。
また、ＬＥＤ等の半導体発光素子及びその駆動回路を内蔵した光源ユニットの重量は蛍光灯等の光源のみからなる光源ユニットの重量に比べて増大してしまうため、光源ユニットの重量に応じた荷重を保持しきれない状況を発生し易くしてしまうことに起因して光源ユニットの脱落を回避することをより一層困難にしてしまうという問題点があった。
また、既に照明装置に使用していた光源ユニットをこの光源ユニットより重い光源ユニットに交換する場合、既に使用していた口金ソケットを光源ユニットの重量に応じてより強度の高い口金ソケットに交換する作業負担を生じさせてしまうという問題点があった。
【０００５】
そこで、本発明が解決しようとする技術的課題、すなわち、本発明の目的は、光源ユニットの脱落と光源ユニット交換時の作業負担増大とを回避する光源ユニット用アタッチメントを提供することである。
【課題を解決するための手段】
【０００６】
まず、本請求項１に係る発明は、光源ユニットの取り付け先であるソケットに前記光源ユニットを固定する光源ユニット用アタッチメントであって、前記ソケットに着脱自在に取り付けられるソケット側取り付けベース部と、該ソケット側取り付けベース部に着脱自在に取り付けられるソケット側取り付け本体部と、該ソケット側取り付け本体部に着脱自在に固定され且つ前記光源ユニットを保持する光源ユニット保持部とを備え、前記光源ユニット保持部が、前記光源ユニットを保持する光源ユニット保持用本体部分と、前記ソケットに設けられたピン固定用溝部に嵌挿される固定用ピン部分と、前記ソケット側取り付け本体部に形成されたロック孔に嵌入されるロック用突起を形成したロック用舌片部分とを有していることにより、前述した課題を解決したものである。
【０００７】
そして、本請求項２に係る発明は、請求項１に係る光源ユニット用アタッチメントにおいて、前記ソケット側取り付けベース部が、前記ソケットの両側面に形成された一対の側面側溝部に嵌装される一対の側面側羽根部分と、前記ソケットの背面に形成され且つ前記一対の側面側溝部を相互に繋ぐ背面側溝部に嵌合する背面側羽根部分とを有していることにより、前述した課題をさらに解決したものである。
【０００８】
そして、本請求項３に係る発明は、請求項２に係る光源ユニット用アタッチメントにおいて、前記ソケット側取り付けベース部が、前記一対の側面側羽根部分に交差する一対の側面側ガイド部分と、前記背面側羽根部分から前記一対の側面側ガイド部分の間に延びている背面側舌片部分とを有し、前記ソケット側取り付け本体部が、前記ソケット側取り付けベース部に対する前記ソケット側取り付け本体部の装着時に前記一対の側面側ガイド部分にそれぞれガイドされる一対の凹状部分を有し、該凹状部分の折り返し端が、前記ソケット側取り付けベース部に対する前記ソケット側取り付け本体部の装着時に前記背面側舌片部分に当接することにより、前述した課題をさらに解決したものである。
【０００９】
そして、本請求項４に係る発明は、請求項１乃至請求項３のいずれか一つに係るにおいて、前記光源ユニット保持用本体部分が、前記光源ユニットを前記光源ユニット保持用部に固定する固定手段を有していることにより、前述した課題をさらに解決したものである。
【発明の効果】
【００１０】
本発明の請求項１に係る発明は、光源ユニットの取り付け先であるソケットに前記光源ユニットを固定する光源ユニット用アタッチメントであって、前記ソケットに着脱自在に取り付けられるソケット側取り付けベース部と、該ソケット側取り付けベース部に着脱自在に取り付けられるソケット側取り付け本体部と、該ソケット側取り付け本体部に着脱自在に固定され且つ前記光源ユニットを保持する光源ユニット保持部とを備えていることにより、ソケット側取り付けベース部、ソケット側取り付け本体部及び光源ユニット保持部を介して光源ユニットの荷重をソケット全体で支持するため、口金から突出したピン端子でのみ光源ユニットの荷重を支持する場合に比べて強固に光源ユニットを保持して光源ユニットの脱落を回避するとともに光源ユニットの交換毎にソケットを交換する作業負担をなくして光源ユニット交換時の作業負担増大を回避することができる。
【００１１】
さらに、前記光源ユニット保持部が、前記光源ユニットを保持する光源ユニット保持用本体部分と、前記ソケットに設けられたピン固定用溝部に嵌挿される固定用ピン部分と、前記ソケット側取り付け本体部に形成されたロック孔に嵌入されるロック用突起を形成したロック用舌片部分とを有していることにより、光源ユニット保持用本体部分から固定用ピン部分及びロック用舌片部分に作用する光源ユニットの荷重をピン固定用溝部及びロック孔に分散させるため、荷重の集中を回避して光源ユニットをソケットに確実に固定することができる。
【００１２】
そして、本請求項２に係る光源ユニット用アタッチメントは、請求項１に係る光源ユニット用アタッチメントが奏する効果に加えて、前記ソケット側取り付けベース部が、前記ソケットの両側面に形成された一対の側面側溝部に嵌装される一対の側面側羽根部分と、前記ソケットの背面に形成され且つ前記一対の側面側溝部を相互に繋ぐ背面側溝部に嵌合する背面側羽根部分とを有していることにより、ソケットに対するソケット側取り付けベース部の取り付け時に一対の側面側溝部に沿って一対の側面側羽根部分をガイドしてそのまま背面側溝部に背面側羽根部分を固定するため、ソケットに対するソケット側取り付けベース部の取り付け作業を容易にして光源ユニット交換時の作業負担増大をより一層回避することができる。
【００１３】
そして、本請求項３に係る光源ユニット用アタッチメントは、請求項２に係る光源ユニット用アタッチメントが奏する効果に加えて、前記ソケット側取り付けベース部が、前記一対の側面側羽根部分に交差する一対の側面側ガイド部分と、前記背面側羽根部分から前記一対の側面側ガイド部分の間に延びている背面側舌片部分とを有し、前記ソケット側取り付け本体部が、前記ソケット側取り付けベース部に対する前記ソケット側取り付け本体部の装着時に前記一対の側面側ガイド部分にそれぞれガイドされる一対の凹状部分を有し、該凹状部分の折り返し端が、前記ソケット側取り付けベース部に対する前記ソケット側取り付け本体部の装着時に前記背面側舌片部分に当接することにより、ソケットの正面側から背面側に向かってソケット側取り付けベース部にソケット側取り付け本体部を取り付けた際にソケット側取り付け本体部の位置決めを容易にして確実にソケット側取り付けベース部にソケット側取り付け本体部を固定するため、ソケット側取り付けベース部に対するソケット側取り付け本体部の取り付け作業に伴う作業負担の増大を回避することができる。
【００１４】
そして、本請求項４に係る光源ユニット用アタッチメントは、請求項１乃至請求項３のいずれか一つに係る光源ユニット用アタッチメントが奏する効果に加えて、前記光源ユニット保持用本体部分が、前記光源ユニットを前記光源ユニット保持部に固定する固定手段を有していることにより、前記光源ユニットを前記光源ユニット保持用部に確実に固定するため、光源ユニットをより強固に保持して光源ユニットの脱落を一層回避することができる。
【図面の簡単な説明】
【００１５】
【図１】本発明の一実施例に係る光源ユニット用アタッチメントを用いた照明装置の据え付け図。
【図２】本発明の一実施例に係る光源ユニット用アタッチメントを用いた照明装置の斜視図。
【図３】本発明の一実施例に係る光源ユニット用アタッチメントを用いた照明装置の据え付け状態側面図。
【図４】本発明の一実施例に係る光源ユニット用アタッチメントの分解斜視図。
【図５】ソケット側取り付けベース部の装着工程図。
【図６】ソケット側取り付け本体部の装着工程図。
【図７】光源ユニット保持部の装着工程図。
【発明を実施するための形態】
【００１６】
本発明の光源ユニット用アタッチメントは、光源ユニットの取り付け先であるソケットに光源ユニットを固定し、ソケットに着脱自在に取り付けられるソケット側取り付けベース部と、このソケット側取り付けベース部に着脱自在に取り付けられるソケット側取り付け本体部と、このソケット側取り付け本体部に着脱自在に固定され且つ光源ユニットを保持する光源ユニット保持部とを備え、光源ユニット保持部が、光源ユニットを保持する光源ユニット保持用本体部分と、ソケットに設けられたピン固定用溝部に嵌挿される固定用ピン部分と、ソケット側取り付け本体部に形成されたロック孔に嵌入されるロック用突起を形成したロック用舌片部分とを有していることにより、口金から突出したピン端子でのみ光源ユニットの荷重を支持する場合に比べて強固に光源ユニットを保持して光源ユニットの脱落を回避するとともに光源ユニットの交換毎にソケットを交換する作業負担をなくして光源ユニット交換時の作業負担増大を回避するものであれば、その具体的な実施の態様は、如何なるものであっても何ら構わない。
また、ソケットの老朽化によってソケットと光源ユニットの口金との間における電気的接続に不具合を生じさせてしまう場合があるため、電源に電気的に接続された専用のコネクタから光源ユニットに給電してもよい。
また、本発明に係る光源ユニット用アタッチメントでは、必ずしも固定用ピン部分を設けなくても光源ユニットを固定することができる。
また、ロック用突起及びロック孔の代わりに光源ユニット保持部及びソケット側取り付け本体部をビス止めして相互に固定してもよい。
【００１７】
なお、本発明に係る光源ユニット用アタッチメントは、例えば、街灯に用いられる灯具などの照明装置や道路或いはトンネル内に設置される照明装置に着脱自在に使用されうる。
【実施例】
【００１８】
以下、本発明の一実施例である光源ユニット用アタッチメント１１０を用いた照明装置１００を図面に基づいて説明する。
ここで、図１は、本発明の一実施例に係る光源ユニット用アタッチメントを用いた照明装置の据え付け図であり、図２は、本発明の一実施例に係る光源ユニット用アタッチメントを用いた照明装置の斜視図であり、図３は、本発明の一実施例に係る光源ユニット用アタッチメントを用いた照明装置の据え付け状態側面図であり、図４は、本発明の一実施例に係る光源ユニット用アタッチメントの分解斜視図であり、図５は、ソケット側取り付けベース部の装着工程図であり、図６は、ソケット側取り付け本体部の装着工程図であり、図７は、光源ユニット保持部の装着工程図である。
【００１９】
まず、図１に示すように、照明装置１００は、トンネルＴの壁面ＴＷに据え付けられた状態でトンネルＴ内の道路を照らすものである。
【００２０】
次に、図１及び図２に示すように、照明装置１００は、光源ユニット用アタッチメント１１０と、光源ユニット１２０と、光源ユニット用アタッチメント１１０によって光源ユニット１２０を固定したソケット１３０と、光源ユニット１２０を収納するケース１４０と、光拡散板を含む透明なカバー１５０と、光源ユニット１２０から出射された光源光を反射する光反射鏡１６０を備えている。
【００２１】
光源ユニット１２０は、その長手方向Ｌに配列された複数の光源エレメント１２１を有している。
光源エレメント１２１は、例えば、光源光を出射する発光ダイオード（ＬＥＤ）等の半導体発光素子と、この素子を内包し且つ光源光を屈折させて光源光の光路を一方向に揃える集光レンズとから構成されている。
光源エレメント１２１は、有機ＥＬ素子（ＯＬＥＤ）或いはレーザー素子等の半導体発光素子を有していてもよい。
【００２２】
カバー１５０は、光源エレメント１２１から出射された光を拡散して照明光として照明装置１００の外部に透過させる。
光反射鏡１６０は、光源エレメント１２１から出射された光源光のうちカバー１５０に向かわない光をカバー１５０に向かって反射する。
なお、説明の便宜上、図２は、照明装置１００をトンネルＴの壁面ＴＷに据え付けた状態で路面Ｇに臨むカバー１５０を図中上側に示している。
また、光源ユニット１２０は、ソケット１３０に設けられた不図示の電力供給端子に不図示のケーブルを介して電気的に接続されて電力を供給される。
【００２３】
次に、図２乃至図７を参照しながら、本実施例に係る光源ユニット用アタッチメント１１０を詳細に説明する。
なお、図４は、図２と図中の上下方向を一致させて光源ユニット用アタッチメント１１０を図示している。
一方、照明装置１００をトンネルＴの壁面ＴＷから取り外してソケット１３０に光源ユニット１２０を固定するため、図５乃至図７は、図２及び図４と上下方向を逆にして光源ユニット用アタッチメント１１０を図示している。
また、説明の便宜上、図７では、光源ユニット保持用本体部１１３Ａに固定された光源ユニット１２０の図示を省略している。
【００２４】
図２乃至図７に示すように、本実施例に係る光源ユニット用アタッチメント１１０は、光源ユニット１２０の取り付け先であるソケット１３０に光源ユニット１２０を固定するものであり、ソケット１３０に着脱自在に取り付けられるソケット側取り付けベース部１１１と、このソケット側取り付けベース部１１１に着脱自在に取り付けられるソケット側取り付け本体部１１２と、このソケット側取り付け本体部１１２に着脱自在に固定され且つ光源ユニット１２０を保持する光源ユニット保持部１１３とを備えていることにより、ソケット側取り付けベース部１１１、ソケット側取り付け本体部１１２及び光源ユニット保持部１１３を介して光源ユニット１２０の荷重をソケット１３０全体で支持するため、口金から突出したピン端子でのみ光源ユニット１２０の荷重を支持する場合に比べて強固に光源ユニット１２０を保持して光源ユニット１２０の脱落を回避するとともに光源ユニット１２０の交換毎にソケット１３０を交換する作業負担をなくして光源ユニット交換時の作業負担増大を回避するようになっている。
【００２５】
また、光源ユニット保持部１１３が、光源ユニット１２０を保持する光源ユニット保持用本体部分１１３Ａと、ソケット１３０に設けられたピン固定用溝部１３１に嵌挿される固定用ピン部分１１３Ｂと、ソケット側取り付け本体部１１２に形成されたロック孔１１２Ａに嵌入されるロック用突起１１３Ｄを形成したロック用舌片部分１１３Ｃとを有していることにより、光源ユニット保持用本体部分１１３Ａから固定用ピン部分１１３Ｂ及びロック用舌片部分１１３Ｃに作用する光源ユニット１２０の荷重をピン固定用溝部１３１及びロック孔１１２Ａに分散させるため、光源ユニット用アタッチメント１１０は、荷重の集中を回避して光源ユニット１２０をソケット１３０に確実に固定するようになっている。
図７に示すように、固定用ピン部分１１３Ｂをピン固定用溝部１３１に嵌挿した光源ユニット保持部１１３を９０度回転させることにより、ロック用突起１１３Ｄがロック孔１１２Ａに嵌入される。
【００２６】
また、ソケット側取り付けベース部１１１が、ソケット１３０の両側面に形成された一対の側面側溝部１３２、１３２に嵌装される一対の側面側羽根部分１１１Ａ、１１１Ａと、１３０ソケットの背面に形成され且つ一対の側面側溝部１３２、１３２を相互に繋ぐ背面側溝部１３３に嵌合する背面側羽根部分１１１Ｂとを有していることにより、ソケット１３０に対するソケット側取り付けベース部１１１の取り付け時に一対の側面側溝部１３２、１３２に沿って一対の側面側羽根部分１１１Ａ、１１１Ａをガイドしてそのまま背面側溝部１３３に背面側羽根部分１１１Ｂを固定するため、光源ユニット用アタッチメント１１０は、ソケット１３０に対するソケット側取り付けベース部１１１の取り付け作業を容易にして光源ユニット交換時の作業負担増大をより一層回避するようになっている。
【００２７】
また、ソケット側取り付けベース部１１１が、一対の側面側羽根部分１１１Ａ、１１１Ａに交差する一対の側面側ガイド部分１１１Ｃ、１１１Ｃと、背面側羽根部分１１１Ｂから一対の側面側ガイド部分１１１Ｃ、１１１Ｃの間に延びている背面側舌片部分１１１Ｄとを有し、ソケット側取り付け本体部１１２が、ソケット側取り付けベース部１１１に対するソケット側取り付け本体部１１２の装着時に一対の側面側ガイド部分１１１Ｃ、１１１Ｃにそれぞれガイドされる一対の凹状部分１１２Ｂ、１１２Ｂを有し、これら凹状部分の折り返し端１１２ＢＡが、ソケット側取り付けベース部１１１に対するソケット側取り付け本体部１１２の装着時に背面側舌片部分１１１Ｄに当接することにより、ソケット１３０の正面側から背面側に向かってソケット側取り付けベース部１１１にソケット側取り付け本体部１１２を取り付けた際にソケット側取り付け本体部１１２の位置決めを容易にして確実にソケット側取り付けベース部１１１にソケット側取り付け本体部１１２を固定するため、光源ユニット用アタッチメント１１０は、ソケット側取り付けベース部１１１に対するソケット側取り付け本体部１１２の取り付け作業に伴う作業負担の増大を回避するようになっている。
【００２８】
また、光源ユニット保持用本体部分１１３Ａが、光源ユニット１２０を光源ユニット保持部１１３に固定する固定手段を有していることにより、光源ユニット１２０を光源ユニット保持部１１３に確実に固定するため、光源ユニット用アタッチメント１１０は、光源ユニット１２０をより強固に保持して光源ユニット１２０の脱落を一層回避するようになっている。
なお、上述の固定手段は、例えば、固定孔１１３ＡＡ―１、１１３ＡＡ―１及び固定ネジ１１３ＡＡ−２、１１３ＡＡ−２で構成されている。
固定ネジ１１３ＡＡ−２、１１３ＡＡ２は、光源ユニット１２０に設けられたネジ孔に嵌挿されて光源ユニット１２０を光源ユニット保持部１１３に固定する。
【００２９】
このようにして得られた本実施例の光源ユニット用アタッチメント１１０は、光源ユニット１２０の取り付け先であるソケット１３０に光源ユニット１２０を固定するものであり、ソケット１３０に着脱自在に取り付けられるソケット側取り付けベース部１１１と、このソケット側取り付けベース部１１１に着脱自在に取り付けられるソケット側取り付け本体部１１２と、このソケット側取り付け本体部１１２に着脱自在に固定され且つ光源ユニット１２０を保持する光源ユニット保持部１１３とを備えていることにより、口金から突出したピン端子でのみ光源ユニット１２０の荷重を支持する場合に比べて強固に光源ユニット１２０を保持して光源ユニット１２０の脱落を回避するとともに光源ユニット１２０の交換毎にソケット１３０を交換する作業負担をなくして光源ユニット交換時の作業負担増大を回避することができるなど、その効果は甚大である。
【符号の説明】
【００３０】
１００  ・・・  照明装置
１１０  ・・・  光源ユニット用アタッチメント
１１１  ・・・  ソケット側取り付けベース部
１１１Ａ  ・・・  側面側羽根部分
１１１Ｂ  ・・・  背面側羽根部分
１１１Ｃ  ・・・  側面側ガイド部分
１１１Ｄ  ・・・  背面側舌片部分
１１２  ・・・  ソケット側取り付け本体部
１１２Ａ  ・・・  ロック孔
１１２Ｂ  ・・・  凹状部分
１１２ＢＡ  ・・・  凹状部分の折り返し端
１１３  ・・・  光源ユニット保持部
１１３Ａ  ・・・  光源ユニット保持用本体部分
１１３ＡＡ―１  ・・・  固定孔
１１３ＡＡ―２  ・・・  固定ネジ
１１３Ｂ  ・・・  固定用ピン部分
１１３Ｃ  ・・・  ロック用舌片部分
１１３Ｄ  ・・・  ロック用突起
１２０  ・・・  光源ユニット
１２１  ・・・  光源エレメント
１３０  ・・・  ソケット
１３１  ・・・  ピン固定用溝部
１３２  ・・・  側面側溝部
１３３  ・・・  背面側溝部
１４０  ・・・  ケース
１５０  ・・・  カバー
１６０  ・・・  光反射鏡
Ｌ  ・・・  光源ユニットの長手方向
Ｔ  ・・・  照明装置を据え付けるトンネル
ＴＷ  ・・・  トンネルの壁面
【図１】
0005706800.tif 000002
【図２】
0005706800.tif 000003
【図３】
0005706800.tif 000004
【図４】
0005706800.tif 000005
【図５】
0005706800.tif 000006
【図６】
0005706800.tif 000007
【図７】
0005706800.tif 000008